(57)【要約】  本開示の実施の形態は照合方法及びデバイスを提供し、本方法は、ユーザに対して照合を実行する必要がある場合、ローカルの現在時刻を取得するステップと；現在時刻より前の所定期間においてユーザが照合を得なかった照合方法を取得するステップ；又は現在時刻より前の所定期間においてユーザに対して照合を実行するために用いられていない照合方法を取得するステップと；取得した照合方法を用いてユーザに対して照合を実行するステップと；を含む。したがって、ユーザを同じ照合方法を用いて短時間のうちに複数回照合することが回避され、ユーザエクスペリエンスが向上する。
2019507408.tif 000002
【特許請求の範囲】
【請求項１】
照合方法であって：
ユーザに対して照合を実行する必要がある場合に、ローカルの現在時刻を取得するステップと；
前記現在時刻より前の所定期間において前記ユーザが照合を得なかった照合方法を取得するステップと；
前記ユーザが照合を得なかった前記照合方法を用いて前記ユーザに対して照合を実行するステップと；を備える、
照合方法。
【請求項２】
前記現在時刻より前の前記所定期間において前記ユーザが照合を得なかった照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザが照合を得た照合方法を前記照合方法リストから削除するステップと；
削除後照合方法リストの１つの行にある照合方法を取得するステップと；を備える、
請求項１に記載の照合方法。
【請求項３】
前記現在時刻より前の前記所定期間において前記ユーザが照合を得た照合方法を前記照合方法リストから削除する前記ステップは：
ローカルに格納された、照合方法とパス時刻との対応関係を取得するステップと；
前記パス時刻と前記現在時刻との差が前記所定期間よりも短いパス時刻に対応する照合方法を前記対応関係から検索するステップと；
前記識別された照合方法を前記照合方法リストから消去するステップと；を備える、
請求項２に記載の照合方法。
【請求項４】
前記ユーザが以前に照合を得なかった照合方法で前記ユーザが照合を得た場合、ローカルの現在時刻を取得し、前記ローカルの現在時刻を、前記ユーザが以前に照合を得なかった照合方法で前記ユーザが照合を得たパス時刻として決定するステップと；
前記対応関係において、前記決定したパス時刻で前記ユーザが以前に照合を得ていない前記照合方法に対応するパス時刻を置き換えるステップと；をさらに備える、
請求項３に記載の照合方法。
【請求項５】
前記現在時刻より前の前記所定期間において前記ユーザが照合を得た照合方法を前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合、前記ユーザは現在照合を得た状態にある、と特定するステップ；又は
前記削除後照合方法リストの行の数が前記削除前照合方法リストの行の数と等しい場合、前記削除後照合方法リストの１つの行にある照合方法を取得するステップ；をさらに備える、
請求項２乃至請求項４のいずれか１項に記載の照合方法。
【請求項６】
照合方法であって：
ユーザに対して照合を実行する必要がある場合に、ローカルの現在時刻を取得するステップと；
前記現在時刻より前の所定期間において前記ユーザに対して照合を実行するために用いられていない照合方法を取得するステップと；
前記用いられていない照合方法を用いて前記ユーザに対して照合を実行するステップと；を備える、
照合方法。
【請求項７】
前記現在時刻より前の所定期間において前記ユーザに対して照合を実行するために用いられていない照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザに対して照合を実行するために用いられた照合方法を前記照合方法リストから削除するステップと；
削除後照合方法リストの１つの行にある照合方法を取得するステップと；を備える、
請求項６に記載の照合方法。
【請求項８】
前記現在時刻より前の前記所定期間において前記ユーザに対して照合を実行するために用いられた照合方法を前記照合方法リストから削除する前記ステップは：
ローカルに格納された、照合方法と照合時刻との対応関係を取得するステップと；
前記照合時刻と前記現在時刻との差が前記所定期間よりも短い照合時刻に対応する照合方法を前記対応関係から検索するステップと；
前記識別された照合方法を前記照合方法リストから消去するステップと；を備える、
請求項７に記載の照合方法。
【請求項９】
前記用いられていない照合方法を用いて前記ユーザに対して照合を実行する場合、ローカルの現在時刻を取得し、前記ローカルの現在時刻を前記用いられていない照合方法を用いてユーザに対して照合を実行した照合時刻として決定するステップと；
前記対応関係において、前記決定した照合時刻で前記用いられていない照合方法に対応する照合時刻を置き換えるステップと；をさらに備える、
請求項８に記載の照合方法。
【請求項１０】
前記現在時刻より前の所定期間において前記ユーザに対して照合を実行するために用いられた照合方法を、前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合に、前記ユーザは現在照合を得た状態にある、と特定するステップ；又は
前記削除後照合方法リストの行の数が前記削除前照合方法リストの行の数と等しい場合に、前記削除後照合方法リストの１つの行にある照合方法を取得するステップ；をさらに含む、
請求項７乃至請求項９のいずれか１項に記載の照合方法。
【請求項１１】
照合デバイスであって：
ユーザに対して照合を実行する必要がある場合に、ローカルの現在時刻を取得するように構成された第１の現在時刻取得モジュールと；
前記現在時刻より前の所定期間において前記ユーザが照合を得なかった照合方法を取得するように構成された第１の照合方法取得モジュールと；
前記ユーザが照合を得なかった前記照合方法を用いて前記ユーザに対して照合を実行するように構成された第１の照合モジュールと；を備える
照合デバイス。
【請求項１２】
照合デバイスであって：
ユーザに対して照合を実行する必要がある場合に、ローカルの現在時刻を取得するように構成された第２の現在時刻取得モジュールと；
前記現在時刻より前の所定期間において前記ユーザに対して照合を実行するために用いられていない照合方法を取得するように構成された第２の照合方法取得モジュールと；
前記用いられていない照合方法を用いて前記ユーザに対して照合を実行するように構成された第２の照合モジュールと；を備える、
照合デバイス。
【発明の詳細な説明】
【技術分野】
【０００１】
本願は、２０１５年１２月１６日に提出され「照合方法及びデバイス」と題された中国特許出願第２０１５１０９４６５２９．７号の優先権を主張し、上記中国特許出願は参照によってその全体が本願に組み込まれる。
【０００２】
本願は、インターネット技術の分野に関し、特に、照合方法及びデバイスに関する。
【背景技術】
【０００３】
現在、ユーザが、ユーザの財産セキュリティに関連する機密の（繊細な）操作、例えばアカウントパスワードの変更、オンラインショッピング、又はオンライン送金を実行する際に、ユーザの財産を損害から護るために、サーバは、ユーザの身元の照合（認証）を得てユーザによる操作が確実に実行されるようにする。こうして、ユーザは、アカウントパスワード変更、オンラインショッピング、オンライン送金等の目的を無事に達成することができる。中でも、一般的に用いられる照合方法は、ショートメッセージサービスのメッセージに基づく照合である。
【０００４】
時にユーザは、ユーザの財産セキュリティに関連する複数の機密の操作を短時間で行う場合がある。サーバは、ユーザが機密の操作を実行する度にユーザの身元をショートメッセージサービスのメッセージに基づく照合により照合を得るので、サーバは、工程全体で、ショートメッセージサービスのメッセージに基づく照合によりユーザの身元を複数回照合することになる。例えば、ユーザはまずアカウントパスワードを変更し、変更の完了後直ちにネットワークでの支払いを実行する。この場合、ユーザがアカウントパスワードを変更する際、サーバは、ショートメッセージサービスのメッセージに基づく照合により、ユーザの身元の照合を得る。そして、ユーザがネットワークでの支払いを実行する際、サーバは、ショートメッセージサービスのメッセージに基づく照合により、再度ユーザの身元の照合を得る。
【発明の概要】
【０００５】
この既存技術の問題を解決するため、本願は照合方法及びデバイスを提供する。
【０００６】
本願の実施の形態に係る第１の態様は、ユーザに対して照合を実行する必要がある場合に、ローカル（現地）の現在時刻を取得するステップと；
前記現在時刻より前の所定期間において前記ユーザが照合を得なかった照合方法を取得するステップと；
前記ユーザが照合を得なかった前記照合方法を用いて前記ユーザに対して照合を実行するステップと；を含む、照合方法を提供するものである。
【０００７】
また、前記現在時刻より前の前記所定期間において前記ユーザが照合を得なかった照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザが照合を得た照合方法を前記照合方法リストから削除するステップと；
削除後照合方法リストの１つの行にある照合方法を取得するステップと；を含むものである。
【０００８】
また、前記現在時刻より前の前記所定期間において前記ユーザが照合を得た照合方法を前記照合方法リストから削除する前記ステップは：
ローカルに格納された、照合方法とパス時刻との対応関係を取得するステップと；
前記パス時刻と前記現在時刻との差が前記所定期間よりも短いパス時刻に対応する照合方法を前記対応関係から検索するステップと；
前記識別された照合方法を前記照合方法リストから消去するステップと；を含むものである。
【０００９】
また、前記方法は、前記ユーザが以前に照合を得なかった照合方法で前記ユーザが照合を得た場合、ローカルの現在時刻を取得し、前記ローカルの現在時刻を、前記ユーザが以前に照合を得なかった照合方法で前記ユーザが照合を得たパス時刻として決定するステップと；
前記対応関係において、前記決定したパス時刻で前記ユーザが以前に照合を得ていない前記照合方法に対応するパス時刻を置き換えるステップと；をさらに含むものである。
【００１０】
また、前記現在時刻より前の前記所定期間において前記ユーザが照合を得た照合方法を前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合、前記ユーザは現在照合を得た状態にある、と特定するステップ；又は
前記削除後照合方法リストの行の数が前記削除前照合方法リストの行の数と等しい場合、前記削除後照合方法リストの１つの行にある照合方法を取得するステップ；をさらに含むものである。
【００１１】
本願の実施の形態に係る第２の態様は、ユーザに対して照合を実行する必要がある場合に、ローカルの現在時刻を取得するステップと；
前記現在時刻より前の所定期間において前記ユーザに対して照合を実行するために用いられていない照合方法を取得するステップと；
前記用いられていない照合方法を用いて前記ユーザに対して照合を実行するステップと；を含む、照合方法を提供するものである。
【００１２】
また、前記現在時刻より前の所定期間において前記ユーザに対して照合を実行するために用いられていない照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザに対して照合を実行するために用いられた照合方法を前記照合方法リストから削除するステップと；
削除後照合方法リストの１つの行にある照合方法を取得するステップと；を含むものである。
【００１３】
また、前記現在時刻より前の前記所定期間において前記ユーザに対して照合を実行するために用いられた照合方法を前記照合方法リストから削除する前記ステップは：
ローカルに格納された、照合方法と照合時刻との対応関係を取得するステップと；
前記照合時刻と前記現在時刻との差が前記所定期間よりも短い照合時刻に対応する照合方法を前記対応関係から検索するステップと；
前記識別された照合方法を前記照合方法リストから消去するステップと；を含むものである。
【００１４】
また、前記用いられていない照合方法を用いて前記ユーザに対して照合を実行する場合、ローカルの現在時刻を取得し、前記ローカルの現在時刻を前記用いられていない照合方法を用いてユーザに対して照合を実行した照合時刻として決定するステップと；
前記対応関係において、前記決定した照合時刻で前記用いられていない照合方法に対応する照合時刻を置き換えるステップと；をさらに含むものである。
【００１５】
また、前記現在時刻より前の所定期間において前記ユーザに対して照合を実行するために用いられた照合方法を、前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合に、前記ユーザは現在照合を得た状態にある、と特定するステップ；又は
前記削除後照合方法リストの行の数が前記削除前照合方法リストの行の数と等しい場合に、前記削除後照合方法リストの１つの行にある照合方法を取得するステップ；をさらに含むものである。
【００１６】
本願の実施の形態に係る第３の態様は、ユーザに対して照合を実行する必要がある場合に、ローカルの現在時刻を取得するように構成された第１の現在時刻取得モジュールと；
前記現在時刻より前の所定期間において前記ユーザが照合を得なかった照合方法を取得するように構成された第１の照合方法取得モジュールと；
前記ユーザが照合を得なかった前記照合方法を用いて前記ユーザに対して照合を実行するように構成された第１の照合モジュールと；を含む、照合デバイスを提供するものである。
【００１７】
本願の実施の形態に係る第４の態様は、ユーザに対して照合を実行する必要がある場合に、ローカルの現在時刻を取得するように構成された第２の現在時刻取得モジュールと；
前記現在時刻より前の所定期間において前記ユーザに対して照合を実行するために用いられていない照合方法を取得するように構成された第２の照合方法取得モジュールと；
前記用いられていない照合方法を用いて前記ユーザに対して照合を実行するように構成された第２の照合モジュールと；を含む、照合デバイスを提供するものである。
【００１８】
本開示の実施の形態において提供される技術的解決策は、以下の有益な効果を奏することができる。既存技術では、ユーザが機密の操作をする度に、サーバは、ショートメッセージサービスのメッセージに基づく照合によりユーザの身元の照合を得る。ユーザが短時間のうちに複数の機密の操作を実行する場合、サーバは、ユーザの身元を同じ照合方法によって短時間のうちに複数回の照合を得ることになり、ユーザエクスペリエンスの質は相対的に低下する。
【００１９】
本開示の実施の形態において、ユーザに対して照合する必要がある場合、現在時刻より前の所定期間においてユーザが照合を得なかった照合方法を取得する、又は、現在時刻より前の所定期間においてユーザに対する照合に用いられていない照合方法を取得する。次いで、取得した照合方法によりユーザの照合を得ることにより、同じ照合方法を用いて短時間のうちにユーザに対する複数回の照合を得ることを回避し、ユーザエクスペリエンスの質を向上させる。
【００２０】
当然ながら、上記の全体的な説明と以下の詳細な説明はいずれも、例示及び説明のために過ぎず、本願を限定するものではない。
【図面の簡単な説明】
【００２１】
ここに添付の図面は本明細書に組み込まれて本明細書の一部をなし、本願に従う実施の形態を示し、本明細書と共に用いられて本開示の原理を説明する。
【００２２】
【図１】図１は、典型的な実施の形態による照合方法を示すフローチャートである；
【００２３】
【図２】図２は、典型的な実施の形態による照合方法を示すフローチャートである；
【００２４】
【図３】図３は、典型的な実施の形態による照合方法を示すフローチャートである；
【００２５】
【図４】図４は、典型的な実施の形態による照合方法を示すフローチャートである；
【００２６】
【図５】図５は、典型的な実施の形態による照合方法を示すフローチャートである；
【００２７】
【図６】図６は、典型的な実施の形態による照合方法を示すフローチャートである；
【００２８】
【図７】図７は、典型的な実施の形態による照合デバイスを示すブロック図である；
【００２９】
【図８】図８は、典型的な実施の形態による照合デバイスを示すブロック図である。
【発明を実施するための形態】
【００３０】
典型的な実施の形態をここで詳細に述べ、典型的な実施の形態の例を添付図面に提示する。以下の記載が添付図面に言及する場合、異なる添付図面における同一の符号は、別段の指示がない限り同一又は類似の要素を表す。以下の典型的な実施の形態において記載される実施態様は、本開示に整合する全ての実施態様を表すわけではない。それどころか、それらは、付帯する特許請求の範囲に詳細に記載される本開示の一部の態様に整合する装置及び方法の一例に過ぎない。
【００３１】
図１は、典型的な実施の形態による照合方法を示すフローチャートである。図１に示すように、この方法は以下のステップを含む。
【００３２】
ステップＳ１０１において、ユーザに対して照合を実行する必要がある場合、ローカル（現地）の現在時刻を取得する。
【００３３】
端末を使用する過程で、ユーザは、ユーザの財産セキュリティに関連する機密の操作、例えば、アカウントパスワードの変更、オンラインショッピング、又はオンライン送金を端末上で実行する必要が生じることがある。ユーザの財産セキュリティに密接に関連する機密の操作であるユーザの入力を受信すると、端末は機密の要求を生成し、その機密の要求をサーバへ送信する。端末により送信された機密の要求を受信すると、ユーザの財産セキュリティを確保するため、サーバは、機密の操作がユーザによって確実に実行されるように、機密の要求に応じる前にユーザの身元に対して照合を実行する必要がある。ユーザが照合を得ると、サーバは機密の要求に応じる。
【００３４】
サーバに関しては、端末により送信された機密の要求を受信すると、ユーザに対する照合の実行を決定し、ローカルの現在時刻を取得する。
【００３５】
ステップＳ１０２において、現在時刻より前の所定期間においてユーザが照合を得なかった（照合をパスしなかった、照合を得ることに失敗した）照合方法を取得する。
【００３６】
所定期間は、技術者が前もってサーバに対して設定する期間とすることができ、３０秒、１分、又は２分などとすることができる。これは、本開示において限定されない。
【００３７】
中でも、サーバがユーザを照合するための数多くの照合方法が存在する。例えば、ショートメッセージサービスのメッセージに基づく照合、電子メールに基づく照合、顔照合、セキュリティ質問照合、指紋照合などである。
【００３８】
例えば、所定期間が１０分であるとする。現在時刻より前の１０分以内にショートメッセージサービスのメッセージに基づく照合によりサーバがユーザの身元に対して照合し、ユーザが照合を得た場合、ショートメッセージサービスのメッセージに基づく照合が、現在時刻より前の所定期間においてユーザが照合を得た照合方法である。現在時刻より前の１０分以内に電子メールに基づく照合によりサーバがユーザの身元に対して照合したものの、ユーザが照合を得なかった場合、電子メールに基づく照合が、現在時刻より前の所定期間においてユーザが照合を得なかった照合方法である。
【００３９】
ステップＳ１０３において、ユーザが照合を得なかった照合方法を用いてユーザに対して照合を行う。
【００４０】
既存技術では、ユーザが機密の操作を実行する度に、サーバは、ショートメッセージサービスのメッセージに基づく照合によりユーザの身元に対して照合を行う。ユーザが短時間のうちに複数の機密の操作を実行する場合、サーバは、ユーザに対して同じ照合方法を用いて短時間のうちに複数回照合を行うことになり、ユーザエクスペリエンスの質は相対的に低下する。
【００４１】
本開示の本実施の形態において、ユーザに対して照合を行う必要がある場合、現在時刻より前の所定期間においてユーザが照合を得なかった照合方法を取得し、次いで、その取得した照合方法を用いてユーザに対して照合を行う。したがって、同じ照合方法を用いて短時間のうちにユーザに対して複数回照合を行うことが回避され、ユーザエクスペリエンスの質は向上する。
【００４２】
本開示の別の実施の形態において、図２に示すように、ステップＳ１０２は、以下のステップを含む。
【００４３】
ステップＳ２０１において、照合方法リストを取得する。
【００４４】
照合方法リストには複数の行がある。各行には、少なくとも１つの照合方法が含まれ、いずれの２つの行に含まれる照合方法も、完全に同じであることはない。１つの行が複数の照合方法を含む場合、その行のいずれの２つの照合方法も異なる。
【００４５】
例えば、照合方法リストを表１に示すことができる。表１にあるのは３行である。第１の行は、２つの照合方法、すなわち、ショートメッセージサービスのメッセージに基づく照合及び電子メールに基づく照合を含んでいる。第２の行は、１つの照合方法、すなわち顔照合を含む。第３の行は、２つの照合方法、すなわち、電子メールに基づく照合及びセキュリティ質問照合を含んでいる。
【表１】
2019507408.tif 000003
【００４６】
ステップＳ２０２において、現在時刻より前の所定期間においてユーザが照合を得ている照合方法を照合方法リストから削除する。
【００４７】
このステップは、具体的には、以下の工程で実施する。すなわち、
【００４８】
（１１）ローカルに格納された、照合方法とパス時刻との対応関係を取得する。
【００４９】
本願のこの実施の形態において、サーバは、毎回、特定の照合方法を用いてユーザに対して照合を行う。ユーザがその照合方法にパスすると、サーバは、ユーザがその照合方法によって照合を得た時刻を示すパス時刻を取得し、次に、ローカルに格納された、照合方法とパス時刻との対応関係を検索してその照合方法が存在するか否か判定する。
【００５０】
上記対応関係が上記照合を行った照合方法を含まない場合、それは、ユーザが以前にその照合方法によって照合を得ていないことを意味する。この場合、その照合方法とパス時刻とを１つの記録として格納される。
【００５１】
上記対応関係が上記照合を行った照合方法を含む場合、それは、ユーザが以前にその照合方法によって照合を得たことを意味する。この場合、上記対応関係からその照合方法に対応するパス時刻を検索する必要があり、次に、ユーザがその照合方法により照合を得た時刻を示すパス時刻を更新するために、取得したパス時刻で、対応付けされていたパス時刻を置き換える。
【００５２】
こうして、ユーザが以前に特定の照合方法により照合を得た直近のパス時刻を検索する必要がある場合、サーバは、ローカルに格納された、照合方法とパス時刻との対応関係を取得し、次いで、ユーザがその照合方法により以前に照合を得た最近のパス時刻を取得するために、対応関係からその照合方法に対応するパス時刻を検索できる。
【００５３】
例えば、照合方法とパス時刻との対応関係を表２に示すことができる。
【表２】
2019507408.tif 000004
【００５４】
表２に示すように、以前にユーザが照合を得た照合方法には、電子メールに基づく照合、ショートメッセージサービスのメッセージに基づく照合、顔照合、セキュリティ質問照合、及び指紋照合が含まれている。ユーザが電子メールに基づく照合により照合を得た最近のパス時刻は０９：０９：２２であり、ユーザがショートメッセージサービスのメッセージに基づく照合により照合を得た最近のパス時刻は１３：０５：２７であり、ユーザが顔照合により照合を得た最近のパス時刻は１２：０８：１２であり、ユーザがセキュリティ質問照合により照合を得た最近のパス時刻は１１：３２：４５であり、ユーザが指紋照合により照合を得た最近のパス時刻は１３：０１：２１である。
【００５５】
（１２）パス時刻と現在時刻との差が所定期間よりも短いパス時刻に対応する照合方法を対応関係から検索する。
【００５６】
対応関係における任意の記録に含まれるパス時刻を取得する。パス時刻を現在時刻から差し引いて期間を取得する。その期間を所定期間と比較する。その期間が所定期間よりも短い場合、その記録に含まれる照合方法を取得し、パス時刻と現在時刻との差が所定期間よりも短いパス時刻に対応する照合方法として用いる。
【００５７】
上記操作を対応関係における他の記録全てに対して実行する。こうして、パス時刻と現在時刻との差が所定期間よりも短いパス時刻に対応する全ての照合方法が対応関係から特定される。
【００５８】
例えば、現在時刻が１３：１０：０４であり、所定期間が１０分であるとする。パス時刻と現在時刻１３：１０：０４との差が１０分より短いパス時刻１３：０５：２７と１３：０１：２１を表２に示す対応関係から特定でき、この２つのパス時刻に対応する照合方法は、それぞれショートメッセージサービスのメッセージに基づく照合及び指紋照合であると特定できる。
【００５９】
（１３）特定された照合方法を照合方法リストから消去する。
【００６０】
具体的には、ステップ（１２）で特定された、いくつかの照合方法を照合方法リストから検索する。照合方法リストがその照合方法を含む場合、その照合方法は照合方法リストから消去される。上記操作を、ステップ（１２）で特定された他の照合方法全てに対して実行する。こうして、ステップ（１２）で特定された全ての照合方法が照合方法リストから消去される。
【００６１】
例えば、ステップ（１２）の例において、特定された照合方法はショートメッセージサービスのメッセージに基づく照合及び指紋照合である。表１に示す照合方法リストからショートメッセージサービスのメッセージに基づく照合を検索し、表１に示す照合方法リストがショートメッセージサービスのメッセージに基づく照合を含むと判定される。この場合、ショートメッセージサービスのメッセージに基づく照合が表１に示す照合方法リストから消去され、表３に示す照合方法リストが取得される。
【表３】
2019507408.tif 000005
【００６２】
次いで、表３に示す照合方法リストから指紋照合を検索し、表３に示す照合方法リストは指紋照合を含まないと判定される。この場合、表３に示す照合方法リストが削除後照合方法リストであると判定される。
【００６３】
Ｓ２０３において、削除後照合方法リストの１つの行にある照合方法を取得する。
【００６４】
本願の目的は、照合方法リストから１つの行を特定し、特定した行にある全ての照合方法を用いてユーザに対して照合を実行することである。決定した行にある全ての照合方法でユーザが照合を得た後、サーバは、ユーザが現在照合を得た状態にあると特定できる。
【００６５】
したがって、本開示のこの実施の形態において、サーバは、削除後照合方法リストから１つの行を能動的に選択できる。例えば、サーバは、削除後照合方法リストから１つの行をランダムに選択し、次いで、選択した行にある全ての照合方法を取得できる。
【００６６】
本開示の別の実施の形態において、サーバは、削除後に端末が照合方法リストをユーザに表示するように、削除後照合方法リストを端末へ送信できる。ユーザは、端末によって表示された削除後照合方法リストから１つの行を選択できる。端末は、ユーザが選択した行をサーバへ送信する。サーバは、ユーザが選択した行にある照合方法を取得する。
【００６７】
サーバは、照合方法リストの１つの行にある全ての照合方法でユーザが照合を得た後に限って、ユーザは、現在照合を得た状態にあると特定できる。したがって、ユーザが１つの照合方法のみを含む行を選択した場合、ユーザがその照合方法で照合を得れば、ユーザは、現在、照合を得た状態にあるとすることができる。ユーザが複数の照合方法を含む行を選択した場合、ユーザがその複数の照合方法で別々に照合を得れば、ユーザは、現在、照合を得た状態にあるとすることができる。したがって、ユーザは通常、できるだけ早く、照合を現在得ている状態になれるよう、含まれる照合方法が少ない行を、削除後照合方法リストから選択する。
【００６８】
例えば、表３に示す削除後照合方法リストでは、第１の行と第２の行に含まれる照合方法は少なく、第３の行に含まれる照合方法は多い。したがって、ユーザは、通常、第１の行又は第２の行を選択することで、現在照合を得た状態になることができる。
【００６９】
したがって、本ステップにおいて、サーバが削除後照合方法リストから１つの行を能動的に選択する場合、ユーザができるだけ早く現在照合を得た状態になることができるように、サーバは、含まれる照合方法が少ない方の行を選択できる。
【００７０】
上記の実施の形態において述べたように、照合方法リストのいずれかの行にある全ての照合方法で照合を得ると、ユーザは、照合を現在得ている状態となることができる。したがって、ユーザができるだけ早く現在照合済みとなることができるよう、本開示の別の実施の形態において、図３に示すように、方法は、ステップＳ２０２の後に以下のステップを含む。
【００７１】
ステップＳ３０１において、削除後照合方法リストの行の数が削除前照合方法リストの行の数よりも少ないか否かを特定する。
【００７２】
状況によって、照合方法リストの特定の行にある全ての照合方法が現在時刻より前の所定期間においてユーザが照合を得た照合方法である場合、その行にある全ての照合方法がステップＳ２０２において削除される、すなわち、照合方法リストにその行は含まれなくなる。そのため、削除後照合方法リストの行の数が削除前照合方法リストの行の数よりも少なくなる。
【００７３】
例えば、現在時刻より前の所定期間においてユーザが照合を得る照合方法がショートメッセージサービスのメッセージに基づく照合及び顔照合である場合、ステップＳ２０２においてショートメッセージサービスのメッセージに基づく照合及び顔照合が表１に示す照合方法リストから削除され、表４に示す照合方法リストが取得される。
【表４】
2019507408.tif 000006
【００７４】
表４に示す照合方法リストには２つの行があるが、表１に示す削除前照合方法リストには３つの行がある。そのため、削除後照合方法リストの行の数が削除前照合方法リストの行の数よりも少ないと判定できる。次いで、ステップＳ３０２を行う。
【００７５】
ステップＳ３０２において、削除後照合方法リストの行の数が削除前照合方法リストの行の数よりも少ない場合、ユーザは照合を現在得ている状態にあると特定される。
【００７６】
本開示のこの実施の形態において、照合方法リストのいずれかの行にある全ての照合方法で照合を得ると、ユーザは照合を現在得ている状態にある、とすることができる。したがって、削除後照合方法リストの行の数が削除前照合方法リストの行の数よりも少ないと判定されると、それは、現在時刻より前の所定期間において、削除された行のいずれか１つにある全ての照合方法でユーザが照合を得ていることを意味する。したがって、ユーザに対して照合を実行する必要はなく、ユーザは照合を現在得ている状態にある、と特定され、工程は終了する。
【００７７】
削除後照合方法リストの行の数が削除前照合方法リストの行の数と等しい場合、ステップ２０３を行う。すなわち、削除後照合方法リストの１つの行にある照合方法を取得する。
【００７８】
本開示のこの実施の形態において、削除後照合方法リストの行の数が削除前照合方法リストの行の数と等しい場合、１つの行にある照合方法は、削除後照合方法リストの別の行にある照合方法を含む、すなわち、その行が別の行にある照合方法を含む場合があるが、その行にある照合方法の数は、別の行にある照合方法の数よりも多い。
【００７９】
例えば、表３に示す照合方法リストにおいて、第３の行にある照合方法は電子メールに基づく照合及びセキュリティ質問照合であり、第１の行にある照合方法は電子メールに基づく照合である。第３の行は、第１の行にある電子メールに基づく照合を含み、第３の行にある照合方法の数は、第１の行にある照合方法の数よりも多い。したがって、第３の行にある照合方法は、第１の行にある照合方法を含む。
【００８０】
ユーザが第１の行を選択した場合、電子メールに基づく照合によって照合を得ると、ユーザは照合を現在得ている状態にある、とすることができるが、ユーザが第３の行を選択した場合、電子メールに基づく照合及びセキュリティ質問照合の両方によって照合を得ないと、照合を現在得ている状態にある、とすることはできない。したがって、ユーザは通常、できるだけ早く、照合を現在得ている状態となることができるように、第３の行よりも第１の行を優先して選ぶ。
【００８１】
ただし、サーバが削除後照合方法リストから１つの行を能動的に選択する場合もある。サーバが第１の行ではなく第３の行を選択した場合、ユーザは、電子メールに基づく照合及びセキュリティ質問照合の両方によって照合を得る必要がある。この場合、ユーザは、早急に照合を現在得ている状態となることができない。
【００８２】
したがって、本開示のこの実施の形態において、削除後照合方法リストの行の数が削除前照合方法リストの行の数と等しい場合、サーバは、削除後照合方法リストの任意の行にある照合方法が別の行にある照合方法を含むか否か判定する。その行にある照合方法が別の行にある照合方法を含む場合、サーバは、削除後照合方法リストからその行を消去する。サーバは、上述の操作を他の全ての行に対して行う。
【００８３】
例えば、表３に示す照合方法リストから第３の行が消去され、表５に示す照合方法リストが取得される。表５に示す照合方法リストから１つの行を選択する場合、サーバは、顔照合を含む第２の行を選択せずに、電子メールに基づく照合を含む第１の行を選択でき、電子メールに基づく照合及びセキュリティ質問照合を含む表３の元の第３の行を選択することはできない。こうして、サーバは、電子メールに基づく照合のみによりユーザに対して照合を実行し、ユーザは、電子メールに基づく照合により照合を現在得ている状態にある、とすることができる。したがって、ユーザはできるだけ早く照合を現在得ている状態となることができ、照合効率が高まる。
【表５】
2019507408.tif 000007
【００８４】
さらに、本開示に記載の実施の形態において、ユーザが照合を得なかった照合方法を用いてサーバがユーザに対して照合を行った後に、ユーザがその照合方法で照合を得た場合、サーバは、ローカルの現在時刻を取得し、ローカルの現在時刻をユーザがその照合方法で照合を得たパス時刻として用い、次いで、ユーザがその照合方法により照合を得た時刻を示すパス時刻を更新するために、ローカルに格納された、照合方法とパス時刻との対応関係において、そのパス時刻でその照合方法に対応するパス時刻を置き換える。
【００８５】
図４は、典型的な実施の形態による照合方法を示すフローチャートである。図４に示すように、この方法は以下の各ステップを含む。
【００８６】
ステップＳ４０１において、ユーザに対して照合を実行する必要がある場合、ローカルの現在時刻を取得する。
【００８７】
端末を用いる工程において、ユーザは時に、ユーザの財産セキュリティに関連する機密の操作、例えば、アカウントパスワードの変更、オンラインショッピング、又はオンライン送金を端末上で行う必要がある。ユーザが入力するユーザの財産セキュリティに密接に関連する機密の操作であるユーザの入力を受信すると、端末は、機密の要求を生成し、その機密の要求をサーバへ送信する。端末が送信した機密の要求を受信すると、ユーザの財産セキュリティを確保するため、サーバは、機密の操作が特定のユーザによって確実に実行されるように、機密の要求に応じる前にユーザの身元に対して照合を実行する必要がある。ユーザが照合を得ると、サーバは機密の要求に応じる。
【００８８】
サーバに関しては、端末が送信した機密の要求を受信すると、ユーザに対して照合を実行することを決定し、ローカルの現在時刻を取得する。
【００８９】
ステップＳ４０２において、現在時刻より前の所定期間においてユーザに対して照合を実行するために用いられていない照合方法を取得する。
【００９０】
所定期間は、技術者が前もってサーバに対して設定する期間とすることができ、３０秒、１分、又は２分などとすることができる。これは、本願において限定されない。
【００９１】
中でも、サーバがユーザを照合するための数多くの照合方法が存在する。例えば、ショートメッセージサービスのメッセージに基づく照合、電子メールに基づく照合、顔照合、セキュリティ質問照合、指紋照合などである。
【００９２】
本開示のこの実施の形態において、サーバは、現在時刻より前の所定期間における複数の照合方法のうちの幾つかを専ら用いて、ユーザに対して照合を実行してもよい。
【００９３】
例えば、所定期間が１０分であるとする。現在時刻より前の１０分以内にショートメッセージサービスのメッセージに基づく照合によりサーバがユーザの身元に対して照合し、ユーザが照合を得た場合、ショートメッセージサービスのメッセージに基づく照合が、現在時刻より前の所定期間においてユーザが照合を得た照合方法である。現在時刻より前の１０分以内に電子メールに基づく照合によりサーバがユーザの身元に対して照合したものの、ユーザが照合を得なかった場合、電子メールに基づく照合が、現在時刻より前の所定期間においてユーザが照合を得なかった照合方法である。
【００９４】
ステップＳ４０３において、その用いられなかった照合方法を用いてユーザに対して照合を実行する。
【００９５】
既存技術では、ユーザが機密の操作を実行する度にサーバは、ショートメッセージサービスのメッセージに基づく照合によりユーザの身元に対して照合を行う。ユーザが短時間のうちに複数回機密の操作を実行する場合、サーバは、ユーザに対して同じ照合方法を用いて短時間のうちに複数回照合を行うことになり、ユーザエクスペリエンスの質は相対的に低下する。
【００９６】
本開示のこの実施の形態において、ユーザに対して照合を行う必要がある場合、現在時刻より前の所定期間においてユーザが照合を得なかった照合方法を取得し、次いで、その取得した照合方法を用いてユーザに対して照合を行う。したがって、同じ照合方法を用いて短時間のうちにユーザに対して複数回照合を行うことが回避され、ユーザエクスペリエンスの質は向上する。
【００９７】
本開示の別の実施の形態において、図５に示すように、ステップＳ４０２は以下のステップを含む。
【００９８】
ステップＳ５０１において、照合方法リストを取得する。
【００９９】
照合方法リストには複数の行がある。各行には、少なくとも１つの照合方法が含まれ、いずれの２つの行に含まれる照合方法も、完全に同じであることはない。１つの行が複数の照合方法を含む場合、その行のいずれの２つの照合方法も異なる。
【０１００】
例えば、照合方法リストを表６に示すことができる。表６にあるのは３行である。第１の行は、２つの照合方法、すなわち、ショートメッセージサービスのメッセージに基づく照合及び電子メールに基づく照合を含んでいる。第２の行は、１つの照合方法、すなわち顔照合を含む。第３の行は、２つの照合方法、すなわち、電子メールに基づく照合及びセキュリティ質問照合を含んでいる。
【表６】
2019507408.tif 000008
【０１０１】
ステップＳ５０２において、現在時刻より前の所定期間においてユーザに対して照合を実行するために用いられた照合方法を、照合方法リストから削除する。
【０１０２】
本ステップは、具体的には、以下を含む以下の工程において実施できる。
【０１０３】
（２１）照合方法と照合時刻との対応関係を取得する。
【０１０４】
本開示のこの実施の形態において、サーバが特定の照合方法を用いることによりユーザに対して照合を実行する度に、サーバは、ローカルの現在時刻を取得し、ローカルの現在時刻をユーザに対して照合を実行した照合時刻として用い、次いで、ローカルに格納された、照合方法と照合時刻との対応関係を検索してその実行された照合方法が存在するか否か判定する。
【０１０５】
上記対応関係がその実行された照合方法を含まない場合、それは、その照合方法が以前にユーザに対して照合を実行するために用いられていないことを意味する。この場合、その実行された照合方法と照合時刻とを１つの記録として格納される。
【０１０６】
対応関係がその照合方法を含む場合、それは、ユーザは以前にその照合方法によって照合を得たことを意味する。この場合、対応関係からその照合方法に対応する照合時刻を検索する必要があり、次いで、その照合方法を用いることによりユーザに対して照合を実行した照合時刻を更新するために、取得した照合時刻で特定された照合時刻を置き換える。
【０１０７】
こうして、以前に特定の照合方法でユーザに対して照合を実行した最近の照合時刻を検索する必要がある場合、サーバは、ローカルに格納された、照合方法と照合時刻との対応関係を取得し、次いで、以前にその照合方法でユーザに対して照合を実行した最近の照合時刻を取得するために、対応関係からその照合方法に対応する照合時刻を検索できる。
【０１０８】
例えば、照合方法と照合時刻との対応関係を、表７に示すことができる。
【表７】
2019507408.tif 000009
【０１０９】
表７に示すように、以前にユーザに対して照合を実行するために用いられた照合方法には、電子メールに基づく照合、ショートメッセージサービスのメッセージに基づく照合、顔照合、セキュリティ質問照合、及び指紋照合が含まれる。電子メールに基づく照合によりユーザに対して照合を実行した最近の照合時刻は０９：０９：２２であり、ショートメッセージサービスのメッセージに基づく照合によりユーザに対して照合を実行した最近の照合時刻は１３：０５：２７であり、顔照合によりユーザに対して照合を実行した最近の照合時刻は１２：０８：１２であり、セキュリティ質問照合によりユーザに対して照合を実行した最近の照合時刻は１１：３２：４５であり、指紋照合によりユーザに対して照合を実行した最近の照合時刻は１３：０１：２１である。
【０１１０】
（２２）照合時刻と現在時刻との差が所定期間よりも短い照合時刻に対応する照合方法を対応関係から検索する。
【０１１１】
対応関係における任意の記録に含まれる照合時刻を取得する。照合時刻を現在時刻から差し引いて期間を取得する。その期間を所定期間と比較する。その期間が所定期間よりも短い場合、その記録に含まれる照合方法を取得し、照合時刻と現在時刻との差が所定期間よりも短い照合時刻に対応する照合方法として用いる。
【０１１２】
上記操作を、対応関係における他の記録全てに対して実行する。こうして、照合時刻と現在時刻との差が所定期間よりも短い照合時刻に対応する全ての照合方法が対応関係から特定される。
【０１１３】
例えば、現在時刻が１３：１０：０４であり、所定期間が１０分であるとする。照合時刻と現在時刻１３：１０：０４との差が１０分より短い照合時刻１３：０５：２７と１３：０１：２１を表７に示す対応関係から特定でき、この２つの照合時刻に対応する照合方法は、それぞれショートメッセージサービスのメッセージに基づく照合及び指紋照合であると判定できる。
【０１１４】
（２３）特定された照合方法を照合方法リストから消去する。
【０１１５】
具体的には、照合方法リストからステップ（２２）で特定されたいずれかの照合方法を検索する。照合方法リストがその照合方法を含む場合、その照合方法は照合方法リストから消去される。上記操作をステップ（２２）で特定された他の照合方法全てに対して実行する。こうして、ステップ（２２）で特定された全ての照合方法が照合方法リストから消去される。
【０１１６】
例えば、ステップ（２２）の例において、特定された照合方法はショートメッセージサービスのメッセージに基づく照合及び指紋照合である。表６に示す照合方法リストからショートメッセージサービスのメッセージに基づく照合を検索し、表６に示す照合方法リストがショートメッセージサービスのメッセージに基づく照合を含むと特定される。この場合、ショートメッセージサービスのメッセージに基づく照合が表６に示す照合方法リストから消去され、表８に示す照合方法リストが取得される。
【表８】
2019507408.tif 000010
【０１１７】
次いで、表８に示す照合方法リストから指紋照合を検索し、表８に示す照合方法リストは指紋照合を含まないと判定される。この場合、表８に示す照合方法リストが削除後照合方法リストであると判定される。
【０１１８】
Ｓ５０３において、削除後照合方法リストの１つの行にある照合方法を取得する。
【０１１９】
本開示の目的は、照合方法リストから１つの行を決定し、決定した行にある全ての照合方法を用いることによりユーザに対して照合を実行することである。決定した行にある全ての照合方法でユーザが照合を得た後、サーバは、ユーザが現在照合を得た状態にある、と判定できる。
【０１２０】
したがって、本開示のこの実施の形態において、サーバは、削除後照合方法リストから１つの行を能動的に選択できる。例えば、サーバは、削除後照合方法リストから１つの行をランダムに選択し、次いで、選択した行にある全ての照合方法を取得できる。
【０１２１】
本開示の別の実施の形態において、サーバは、端末が削除後照合方法リストをユーザに表示するように、削除後照合方法リストを端末へ送信できる。ユーザは、端末によって表示された削除後照合方法リストから１つの行を選択できる。端末は、ユーザが選択した行をサーバへ送信する。サーバは、ユーザが選択した行にある照合方法を取得する。
【０１２２】
サーバは、照合方法リストの１つの行にある全ての照合方法でユーザが照合されて初めて、ユーザが現在照合を得た状態にある、と特定できる。したがって、ユーザが１つの照合方法のみを含む行を選択した場合、ユーザがその照合方法で照合を得れば、ユーザは、現在照合を得た状態にある、とすることができる。ユーザが複数の照合方法を含む行を選択した場合、ユーザがその複数の照合方法で別々に照合を得れば、ユーザは、現在照合を得た状態にある、とすることができる。したがって、ユーザは通常、できるだけ早く現在照合を得た状態になれるように、含まれる照合方法が少ない行を削除後照合方法リストから選択する。
【０１２３】
例えば、表８に示す削除後照合方法リストでは、第１の行と第２の行の方が含まれる照合方法が少なく、第３の行の方が含まれる照合方法が多い。したがって、ユーザは通常、現在照合を得た状態になるために第１の行又は第２の行を選択する。
【０１２４】
したがって、本ステップにおいて、サーバが削除後照合方法リストから１つの行を能動的に選択する場合、ユーザができるだけ早く現在照合を得た状態になるために、サーバは、含まれる照合方法が少ない方の行を選択できる。
【０１２５】
上記の実施の形態において述べたように、照合方法リストのいずれかの行にある全ての照合方法で照合を得ると、ユーザは現在照合を得た状態となることができる。したがって、ユーザができるだけ早く現在照合を得た状態になれるように、本開示の別の実施の形態において、図６に示すように、本方法は、ステップＳ５０２の後に以下のステップを含む。
【０１２６】
ステップＳ６０１において、削除後照合方法リストの行の数が削除前照合方法リストの行の数よりも少ないか否か判定する。
【０１２７】
状況によって、照合方法リストの特定の行にある全ての照合方法が現在時刻より前の所定期間においてユーザが照合されている照合方法である場合、その行にある全ての照合方法がステップＳ５０２において削除される、すなわち、照合方法リストにその行は含まれなくなる。そのため、削除後照合方法リストの行の数が削除前照合方法リストの行の数よりも少なくなる。
【０１２８】
例えば、現在時刻より前の所定期間においてユーザに対して照合を実行するために用いられた照合方法がショートメッセージサービスのメッセージに基づく照合及び顔照合である場合、ステップＳ５０２の後に、すなわち、表６に示す照合方法リストからショートメッセージサービスのメッセージに基づく照合及び顔照合を削除した後に、表９に示す照合方法リストを取得することができる。
【表９】
2019507408.tif 000011
【０１２９】
表９に示す照合方法リストには２つの行があるが、表６の削除前照合方法リストには３つの行がある。そのため、削除後照合方法リストの行の数が削除前照合方法リストの行の数よりも少ないと特定できる。次いで、ステップＳ６０２を実行する。
【０１３０】
ステップＳ６０２において、削除後照合方法リストの行の数が削除前照合方法リストの行の数よりも少ない場合、ユーザは現在照合を得た状態にあると特定する。
【０１３１】
本開示のこの実施の形態において、照合方法リストのいずれかの行にある全ての照合方法で照合を得ると、ユーザは現在照合を得た状態にある、とすることができる。したがって、削除後照合方法リストの行の数が削除前照合方法リストの行の数よりも少ないと特定されれば、それは、現在時刻より前の所定期間において、削除された行のいずれか１つにある全ての照合方法でユーザが照合されていることを意味する。したがって、ユーザに対して照合を実行する必要はなく、ユーザは現在照合を得た状態にある、と特定でき、工程は終了する。
【０１３２】
削除後照合方法リストの行の数が削除前照合方法リストの行の数と等しい場合、ステップＳ５０３を実行する。すなわち、削除後照合方法リストの１つの行にある照合方法を取得する。
【０１３３】
本開示のこの実施の形態において、削除後照合方法リストの行の数が削除前照合方法リストの行の数と等しい場合において、１つの行にある照合方法は、削除後照合方法リストの別の行にある照合方法を含む、すなわち、その行が別の行にある照合方法を含む場合があるが、その行にある照合方法の数は、別の行にある照合方法の数よりも多い。
【０１３４】
例えば、表８に示す照合方法リストにおいて、第３の行にある照合方法は電子メールに基づく照合及びセキュリティ質問照合であり、第１の行にある照合方法は電子メールに基づく照合である。第３の行は、第１の行にある電子メールに基づく照合を含み、第３の行にある照合方法の数は、第１の行にある照合方法の数よりも多い。したがって、第３の行にある照合方法は、第１の行にある照合方法を含む。
【０１３５】
ユーザが第１の行を選択した場合、電子メールに基づく照合により照合が得られると、ユーザは、現在照合を得た状態にある、とすることができるが、ユーザが第３の行を選択した場合、電子メールに基づく照合及びセキュリティ質問照合の両方によって照合を得られないと、現在照合が得られた状態とすることができない。したがって、ユーザは通常、できるだけ早く現在照合が得られた状態となることができるように、第３の行よりも第１の行を選ぶ。
【０１３６】
ただし、サーバが削除後照合方法リストから１つの行を能動的に選択する場合もある。サーバが第１の行ではなく第３の行を選択した場合、ユーザは、電子メールに基づく照合及びセキュリティ質問照合の両方によって照合を得る必要がある。この場合、ユーザは、早急に現在照合を得た状態にはなれない。
【０１３７】
したがって、本開示のこの実施の形態において、削除後照合方法リストの行の数が削除前照合方法リストの行の数と等しい場合、サーバは、削除後照合方法リストの任意の行にある照合方法が別の行にある照合方法を含むか否か特定する。その行にある照合方法が別の行にある照合方法を含む場合、サーバは、削除後照合方法リストからその行を消去する。サーバは、上記操作を他の全ての行に対して実行する。
【０１３８】
例えば、表８に示す照合方法リストから第３の行が消去され、表１０に示す照合方法リストが取得される。表１０に示す照合方法リストから１つの行を選択する場合、サーバは、顔照合を含む第２の行を選択せずに電子メールに基づく照合を含む第１の行を選択することができ、電子メールに基づく照合及びセキュリティ質問照合を含む表８の元の第３の行を選択できない。こうして、サーバは、電子メールに基づく照合のみによりユーザに対して照合を実行し、ユーザは、電子メールに基づく照合により照合を得ると、現在照合を得た状態になることができる。したがって、ユーザは早急に照合を得た状態になることができ、照合効率が高まる。
【表１０】
2019507408.tif 000012
【０１３９】
さらに、本開示で述べる実施の形態において、用いられていない照合方法を用いることによりサーバがユーザに対して照合を実行した後に、サーバはローカルの現在時刻を取得し、ローカルの現在時刻を、その使用されていない照合方法を用いてユーザに対して照合を実行した照合時刻として用い、次いで、その照合方法を用いることによりユーザに対して照合を実行した照合時刻を更新するために、ローカルに格納された、照合方法と照合時刻との対応関係において、その照合時刻でその照合方法に対応する照合時刻を置き換える。
【０１４０】
図７は、典型的な実施の形態による照合デバイスを示すブロック図である。図７を参照すると、デバイスは、ユーザに対して照合を実行する必要がある場合、ローカルの現在時刻を取得するように構成された第１の現在時刻取得モジュール１１と；現在時刻より前の所定期間においてユーザが照合を得なかった照合方法を取得するように構成された第１の照合方法取得モジュール１２と；ユーザが照合を得なかった照合方法を用いることによりユーザに対して照合を実行するように構成された第１の照合モジュール１３と；を含む。
【０１４１】
既存技術では、ユーザが機密の操作を実行する度にサーバは、ショートメッセージサービスのメッセージに基づく照合によりユーザの身元に対して照合を行う。ユーザが短時間のうちに複数の機密の操作を実行する場合、サーバは、ユーザに対して同じ照合方法を用いて短時間のうちに複数回照合を行うことになり、ユーザエクスペリエンスの質は相対的に低下する。
【０１４２】
本開示のこの実施の形態において、ユーザに対して照合を行う必要がある場合、現在時刻より前の所定期間においてユーザが照合を得なかった照合方法を取得し、次いで、その取得した照合方法を用いてユーザに対して照合を行う。したがって、同じ照合方法を用いて短時間のうちにユーザに対して複数回照合を行うことが回避され、ユーザエクスペリエンスの質は向上する。
【０１４３】
第１の照合方法取得モジュール１２は：照合方法リストを取得するように構成された第１の照合方法リスト取得ユニットであって、照合方法リストの各行が少なくとも１つの照合方法を含む、第１の照合方法リスト取得ユニットと；現在時刻より前の所定期間においてユーザが照合を得た照合方法を照合方法リストから削除するように構成された第１の削除ユニットと；削除後照合方法リストの１つの行にある照合方法を取得するように構成された第１の照合方法取得ユニットと；を含む。
【０１４４】
第１の削除ユニットは、ローカルに格納された照合方法とパス時刻との対応関係を取得するように構成された第１の取得サブユニットと；パス時刻と現在時刻との差が所定期間よりも短いパス時刻に対応する照合方法を求めて対応関係を検索するように構成された第１の検索サブユニットと；特定された照合方法を照合方法リストから消去するように構成された第１の削除サブユニットと；を含む。
【０１４５】
デバイスは、ユーザが以前に照合されていない照合方法でユーザに対して照合が実行される場合、ローカルの現在時刻を取得し、ローカルの現在時刻をユーザが以前に照合を得ていない照合方法でユーザが照合を得たパス時刻として決定するように構成されたパス時刻取得モジュールと；対応関係において、決定したパス時刻でユーザが以前に照合を得ていない照合方法に対応するパス時刻を置き換えるように構成された第１の置換モジュールと；をさらに含む。
【０１４６】
第１の照合方法取得モジュール１２は、削除後照合方法リストの行の数が削除前照合方法リストの行の数よりも少ないか否か判断するように構成された第１の判断ユニットと；削除後照合方法リストの行の数が削除前照合方法リストの行の数よりも少ない場合、ユーザは現在照合を得た状態にある、と特定するように構成された第１の特定ユニットと；をさらに含む。
【０１４７】
第１の照合方法取得ユニットは、削除後照合方法リストの行の数が削除前照合方法リストの行の数と等しい場合、削除後照合方法リストの１つの行にある照合方法を取得するステップを実行するようにさらに構成されている。
【０１４８】
図８は、典型的な実施の形態による照合デバイスを示すブロック図である。図８を参照すると、デバイスは、ユーザに対して照合を実行する必要がある場合、ローカルの現在時刻を取得するように構成された第２の現在時刻取得モジュール２１と；現在時刻より前の所定期間においてユーザに対して照合を実行するために用いられていない照合方法を取得するように構成された第２の照合方法取得モジュール２２と；その用いられていない照合方法を用いることによりユーザに対して照合を実行するように構成された第２の照合モジュール２３と；を含む。
【０１４９】
既存技術では、ユーザが機密の操作を実行する度にサーバは、ショートメッセージサービスのメッセージに基づく照合によりユーザの身元に対して照合を行う。ユーザが短時間のうちに複数の機密の操作を実行する場合、サーバは、ユーザに対して同じ照合方法を用いて短時間のうちに複数回照合を行うことになり、ユーザエクスペリエンスの質は相対的に低下する。
【０１５０】
本開示のこの実施の形態において、ユーザに対して照合を行う必要がある場合、現在時刻より前の所定期間においてユーザが照合を得なかった照合方法を取得し、次いで、その取得した照合方法を用いてユーザに対して照合を行う。したがって、同じ照合方法を用いて短時間のうちにユーザに対して複数回照合を行うことが回避され、ユーザエクスペリエンスの質は向上する。
【０１５１】
第２の照合方法取得モジュール２２は：照合方法リストを取得するように構成された第２の照合方法リスト取得ユニットであって、照合方法リストの各行が少なくとも１つの照合方法を含む、第２の照合方法リスト取得ユニットと；現在時刻より前の所定期間においてユーザに対して照合を実行するために用いられた照合方法を照合方法リストから削除するように構成された第２の削除ユニットと；削除後照合方法リストの１つの行にある照合方法を取得するように構成された第２の照合方法取得ユニットと；を含む。
【０１５２】
第２の削除ユニットは：ローカルに格納された照合方法と照合時刻との対応関係を取得するように構成された第２の取得サブユニットと；照合時刻と現在時刻との差が所定期間よりも短い照合時刻に対応する照合方法を求めて対応関係を検索するように構成された第２の検索サブユニットと；特定された照合方法を照合方法リストから消去するように構成された第２の削除サブユニットと；を含む。
【０１５３】
デバイスは、その用いられていない照合方法を用いることによりユーザに対して照合を実行する場合、ローカルの現在時刻を取得し、このローカルの現在時刻をその用いられていない照合方法を用いることによりユーザに対して照合を実行した照合時刻として特定するように構成された照合時刻取得モジュールと；対応関係において、決定した照合時刻でその使用されていない照合方法に対応する照合時刻を置き換えるように構成された第２の置換モジュールと；をさらに含む。
【０１５４】
第２の照合方法取得モジュール２２は、削除後照合方法リストの行の数が削除前照合方法リストの行の数よりも少ないか否か判断するように構成された第２の判断ユニットと；削除後照合方法リストの行の数が削除前照合方法リストの行の数よりも少ない場合、ユーザは現在照合を得た状態にあると特定するように構成された第２の特定ユニットと；をさらに含む。
【０１５５】
第２の照合方法取得ユニットは、削除後照合方法リストの行の数が削除前照合方法リストの行の数と等しい場合、削除後照合方法リストの１つの行にある照合方法を取得するステップを実行するようにさらに構成されている。
【０１５６】
この実施の形態におけるデバイスについては、各モジュールが操作を実行する特定の方法を、関連する方法の実施の形態において既に詳細に説明しており、ここでは詳細を述べない。
【０１５７】
当業者は、本明細書を検討し本開示を実施した後で本開示の別の実施上の解決策へ容易に想到できる。本願は、本開示の変形、機能、又は適応変化を包含することを意図している。これらの変形、機能、又は適応変化は、本開示の一般原理に従うものであり、本開示において開示されていない本技術分野における共通の知識又は一般に用いられる技術的手段を含む。本明細書及び実施の形態は単なる例であり、本開示の実際の範囲及び精神は、以下の特許請求の範囲によって示される。
【０１５８】
当然ながら、本開示は、上に記載され、添付図面に示される厳密な構造に限定されない。本開示の範囲内で修正及び変更を行うことができる。本開示の範囲は、添付の特許請求項によってのみ限定される。
【符号の説明】
【０１５９】
１１  第１の現在時刻取得モジュール
１２  第１の照合方法取得モジュール
１３  第１の照合モジュール
２１  第２の現在時刻取得モジュール
２２  第２の照合方法取得モジュール
２３  第２の照合モジュール
【図１】
2019507408.tif 000013
【図２】
2019507408.tif 000014
【図３】
2019507408.tif 000015
【図４】
2019507408.tif 000016
【図５】
2019507408.tif 000017
【図６】
2019507408.tif 000018
【図７】
2019507408.tif 000019
【図８】
2019507408.tif 000020
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
ユーザの身元照合方法であって：
前記ユーザに対して身元照合を必要とするユーザの財産セキュリティに関連する操作のユーザ要求を受信するステップと；
前記ユーザ要求が受信されたローカルの現在時刻を取得するステップ（Ｓ１０１）と；
前記ローカルの現在時刻より前の所定期間において前記ユーザが身元照合を得なかったかどうかを特定するステップと；
前記ローカルの現在時刻より前の所定期間において前記ユーザが身元照合を得なかった照合方法を取得するステップ（Ｓ１０２）と；
前記ユーザが照合を得なかった前記照合方法を用いて前記ユーザに対して身元照合を実行するステップ（Ｓ１０３）と；を備える、
方法。
【請求項２】
前記ローカルの現在時刻より前の所定期間において前記ユーザが身元照合を得なかった前記照合方法を取得するステップは：
照合方法リストを取得するステップであって、前記照合方法リストの各行が少なくとも１つの照合方法を含む、照合方法リストを取得するステップ（Ｓ２０１）と；
前記現在時刻より前の前記所定期間において前記ユーザが照合を得た前記照合方法を前記照合方法リストから削除するステップ（Ｓ２０２）と；
削除後照合方法リストの１つの行にある照合方法を取得するステップ（Ｓ２０３）と；を備える、
請求項１に記載の方法。
【請求項３】
前記現在時刻より前の前記所定期間において前記ユーザが照合を得た前記照合方法を前記照合方法リストから削除するステップは：
ローカルに格納された、前記照合方法とパス時刻との対応関係を取得するステップと；
前記パス時刻と前記現在時刻との差が前記所定期間よりも短いパス時刻に対応する前記照合方法を前記対応関係から検索するステップと；
前記識別された照合方法を前記照合方法リストから消去するステップと；を備える、
請求項２に記載の方法。
【請求項４】
前記ユーザが以前に照合を得なかった照合方法で前記ユーザが照合を得た場合、ローカルの現在時刻を取得し、前記ローカルの現在時刻を、前記ユーザが以前に照合を得なかった照合方法で前記ユーザが照合を得たパス時刻として決定するステップと；
前記対応関係において、前記決定したパス時刻で前記ユーザが以前に照合を得ていない前記照合方法に対応するパス時刻を置き換えるステップと；をさらに備える、
請求項３に記載の方法。
【請求項５】
前記現在時刻より前の前記所定期間において前記ユーザが照合を得た前記照合方法を前記照合方法リストから削除するステップの後に：
前記削除後照合方法リストの行の数が削除前照合方法リストの行の数よりも少ないか否か特定するステップ（Ｓ３０１）と；
前記削除後照合方法リストの行の数が前記削除前照合方法リストの行の数よりも少ない場合、前記ユーザは現在照合を得た状態にある、と特定するステップ（Ｓ３０２）；又は
前記削除後照合方法リストの行の数が前記削除前照合方法リストの行の数と等しい場合、前記削除後照合方法リストの１つの行にある照合方法を取得するステップ；をさらに備える、
請求項２乃至請求項４のいずれか１項に記載の方法。
【請求項６】
前記現在時刻より前の所定期間において前記ユーザに対して照合を実行するために用いられていない照合方法を取得するステップ（Ｓ４０２）と；
前記用いられていない照合方法を用いて前記ユーザに対して照合を実行するステップ（Ｓ４０３）と；を更に備える、
請求項２乃至請求項５のいずれか１項に記載の方法。
【請求項７】
前記現在時刻より前の所定期間において前記ユーザに対して照合を実行するために用いられていない前記照合方法を取得するステップは：
照合方法リストを取得するステップであって、前記照合方法リストの各行が少なくとも１つの身元照合方法を含む、照合方法リストを取得するステップと；
前記現在時刻より前の前記所定期間において前記ユーザに対して身元照合を実行するために用いられた前記照合方法を前記照合方法リストから削除するステップと；
削除後照合方法リストの１つの行にある前記照合方法を取得するステップと；を備える、
請求項６に記載の方法。
【請求項８】
前記現在時刻より前の前記所定期間において前記ユーザに対して身元照合を実行するために用いられた前記照合方法を前記照合方法リストから削除するステップは：
ローカルに格納された、前記照合方法と照合時刻との対応関係を取得するステップと；
前記照合時刻と前記現在時刻との差が前記所定期間よりも短い照合時刻に対応する前記照合方法を前記対応関係から検索するステップと；
前記識別された照合方法を前記照合方法リストから消去するステップと；を備える、
請求項７に記載の方法。
【請求項９】
前記用いられていない照合方法を用いて前記ユーザに対して照合を実行する場合、前記ローカルの現在時刻を取得し、前記ローカルの現在時刻を前記用いられていない照合方法を用いてユーザに対して照合を実行した照合時刻として決定するステップと；
前記対応関係において、前記決定した照合時刻で前記用いられていない照合方法に対応する照合時刻を置き換えるステップと；をさらに備える、
請求項８に記載の方法。
【請求項１０】
前記現在時刻より前の前記所定期間において前記ユーザに対して身元照合を実行するために用いられた前記照合方法を前記照合方法リストから削除するステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合に、前記ユーザは現在照合を得た状態にある、と特定するステップ；又は
前記削除後照合方法リストの行の数が前記削除前照合方法リストの行の数と等しい場合に、前記削除後照合方法リストの１つの行にある前記照合方法を取得するステップ；をさらに備える、
請求項７乃至請求項９のいずれか１項に記載の方法。
【請求項１１】
前記ユーザの前記財産セキュリティは、アカウントパスワード、オンラインショッピング操作、あるいはオンライン送金操作を含む、
請求項１乃至請求項１０のいずれか１項に記載の方法。
【請求項１２】
前記照合方法は、ショートメッセージサービスのメッセージを送信するステップ、顔照合を実行するステップ、あるいは電子メールを送信するステップを含む、
請求項１乃至請求項１０のいずれか１項に記載の方法。
【請求項１３】
請求項１乃至請求項１２のいずれか１項に記載の方法を実行するように構成された複数のモジュールを備える、
身元照合装置。
【手続補正２】
【補正対象書類名】明細書
【補正対象項目名】０１５８
【補正方法】変更
【補正の内容】
【０１５８】
当然ながら、本開示は、上に記載され、添付図面に示される厳密な構造に限定されない。本開示の範囲内で修正及び変更を行うことができる。本開示の範囲は、添付の特許請求項によってのみ限定される。
以下、本発明の実施の態様の例を列挙する。
［第１の局面］
照合方法であって：
ユーザに対して照合を実行する必要がある場合に、ローカルの現在時刻を取得するステップと；
前記現在時刻より前の所定期間において前記ユーザが照合を得なかった照合方法を取得するステップと；
前記ユーザが照合を得なかった前記照合方法を用いて前記ユーザに対して照合を実行するステップと；を備える、
照合方法。
［第２の局面］
前記現在時刻より前の前記所定期間において前記ユーザが照合を得なかった照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザが照合を得た照合方法を前記照合方法リストから削除するステップと；
削除後照合方法リストの１つの行にある照合方法を取得するステップと；を備える、
第１の局面に記載の照合方法。
［第３の局面］
前記現在時刻より前の前記所定期間において前記ユーザが照合を得た照合方法を前記照合方法リストから削除する前記ステップは：
ローカルに格納された、照合方法とパス時刻との対応関係を取得するステップと；
前記パス時刻と前記現在時刻との差が前記所定期間よりも短いパス時刻に対応する照合方法を前記対応関係から検索するステップと；
前記識別された照合方法を前記照合方法リストから消去するステップと；を備える、
第２の局面に記載の照合方法。
［第４の局面］
前記ユーザが以前に照合を得なかった照合方法で前記ユーザが照合を得た場合、ローカルの現在時刻を取得し、前記ローカルの現在時刻を、前記ユーザが以前に照合を得なかった照合方法で前記ユーザが照合を得たパス時刻として決定するステップと；
前記対応関係において、前記決定したパス時刻で前記ユーザが以前に照合を得ていない前記照合方法に対応するパス時刻を置き換えるステップと；をさらに備える、
第３の局面に記載の照合方法。
［第５の局面］
前記現在時刻より前の前記所定期間において前記ユーザが照合を得た照合方法を前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合、前記ユーザは現在照合を得た状態にある、と特定するステップ；又は
前記削除後照合方法リストの行の数が前記削除前照合方法リストの行の数と等しい場合、前記削除後照合方法リストの１つの行にある照合方法を取得するステップ；をさらに備える、
第２乃至第４の局面のいずれかに記載の照合方法。
［第６の局面］
照合方法であって：
ユーザに対して照合を実行する必要がある場合に、ローカルの現在時刻を取得するステップと；
前記現在時刻より前の所定期間において前記ユーザに対して照合を実行するために用いられていない照合方法を取得するステップと；
前記用いられていない照合方法を用いて前記ユーザに対して照合を実行するステップと；を備える、
照合方法。
［第７の局面］
前記現在時刻より前の所定期間において前記ユーザに対して照合を実行するために用いられていない照合方法を取得する前記ステップは：
照合方法リストを取得するステップであって、前記照合方法リストの各行が少なくとも１つの照合方法を含む、照合方法リストを取得するステップと；
前記現在時刻より前の前記所定期間において前記ユーザに対して照合を実行するために用いられた照合方法を前記照合方法リストから削除するステップと；
削除後照合方法リストの１つの行にある照合方法を取得するステップと；を備える、
第６の局面に記載の照合方法。
［第８の局面］
前記現在時刻より前の前記所定期間において前記ユーザに対して照合を実行するために用いられた照合方法を前記照合方法リストから削除する前記ステップは：
ローカルに格納された、照合方法と照合時刻との対応関係を取得するステップと；
前記照合時刻と前記現在時刻との差が前記所定期間よりも短い照合時刻に対応する照合方法を前記対応関係から検索するステップと；
前記識別された照合方法を前記照合方法リストから消去するステップと；を備える、
第７の局面に記載の照合方法。
［第９の局面］
前記用いられていない照合方法を用いて前記ユーザに対して照合を実行する場合、ローカルの現在時刻を取得し、前記ローカルの現在時刻を前記用いられていない照合方法を用いてユーザに対して照合を実行した照合時刻として決定するステップと；
前記対応関係において、前記決定した照合時刻で前記用いられていない照合方法に対応する照合時刻を置き換えるステップと；をさらに備える、
第８の局面に記載の照合方法。
［第１０の局面］
前記現在時刻より前の所定期間において前記ユーザに対して照合を実行するために用いられた照合方法を、前記照合方法リストから削除する前記ステップの後に：
前記削除後照合方法リストの行の数が削除前照合方法リストの行の数よりも少ないか否か特定するステップと；
前記削除後照合方法リストの行の数が前記削除前照合方法リストの行の数よりも少ない場合に、前記ユーザは現在照合を得た状態にある、と特定するステップ；又は
前記削除後照合方法リストの行の数が前記削除前照合方法リストの行の数と等しい場合に、前記削除後照合方法リストの１つの行にある照合方法を取得するステップ；をさらに含む、
第７乃至第９の局面のいずれかに記載の照合方法。
［第１１の局面］
照合デバイスであって：
ユーザに対して照合を実行する必要がある場合に、ローカルの現在時刻を取得するように構成された第１の現在時刻取得モジュールと；
前記現在時刻より前の所定期間において前記ユーザが照合を得なかった照合方法を取得するように構成された第１の照合方法取得モジュールと；
前記ユーザが照合を得なかった前記照合方法を用いて前記ユーザに対して照合を実行するように構成された第１の照合モジュールと；を備える
照合デバイス。
［第１２の局面］
照合デバイスであって：
ユーザに対して照合を実行する必要がある場合に、ローカルの現在時刻を取得するように構成された第２の現在時刻取得モジュールと；
前記現在時刻より前の所定期間において前記ユーザに対して照合を実行するために用いられていない照合方法を取得するように構成された第２の照合方法取得モジュールと；
前記用いられていない照合方法を用いて前記ユーザに対して照合を実行するように構成された第２の照合モジュールと；を備える、
照合デバイス。
【国際調査報告】
2019507408.tif 000021
2019507408.tif 000022
2019507408.tif 000023
2019507408.tif 000024